(57)【特許請求の範囲】
【請求項１】
コイン通路に所定のコインが保持された状態でキーにより施錠用シリンダ錠を操作して施錠杆を施錠位置へ移動させることを可能とする錠装置において、
機枠のコイン投入口に連続して回収コイン通路とコイン返却口に連通する返却コイン通路を並設し、前記各通路の一側における内枠板にコイン保持プレートを軸支して前記内枠板に接離するように回動可能に設け、前記コイン保持プレートに前記回収コイン通路と前記返却コイン通路に進入してコインを支持する２個のコインストッパーを設け、前記コイン保持プレートと前記内枠板との間に、前記コイン保持プレートを前記内枠板方向に付勢する付勢コイルばねを設け、前記機枠の前面に設けたコイン釈放操作ボタンに連続するコイン釈放操作軸を前記コイン保持プレートの被駆動板に形成した孔を貫通して設け、前記コイン釈放操作軸と前記被駆動板との間に、前記コイン釈放操作ボタンを前記機枠の前面から突出させるように前記コイン釈放操作軸を付勢するとともに、該付勢に抗して前記コイン釈放操作ボタンが押されて後退する前記コイン釈放操作軸の動作を前記コイン保持プレートに伝達する駆動コイルばねを設け、施錠状態においては施錠杆駆動レバーに設けた移動拘束部材が前記コイン保持プレートの動作を拘束することにより前記コイン釈放操作軸の動作を前記駆動コイルばねが吸収し、解錠状態においては前記コイン釈放操作軸の動作を前記駆動コイルばねを介して前記コイン保持プレートに伝達し、前記コイン保持プレートを前記内枠板から離間する方向に前記付勢コイルばねによる付勢に抗して回動することにより前記２個のコインストッパーが保持するコインを釈放することを特徴とするコインロッカー用錠装置。
【請求項２】
前記コイン保持プレートに前記コインストッパーを選択的に設ける複数の取付螺孔が上下方向に形成されていることを特徴とする請求項１に記載のコインロッカー用錠装置。
【発明の詳細な説明】
【０００１】
【発明の属する技術分野】
本発明は、コインロッカーに用いられる錠装置に関するものである。
【０００２】
【従来の技術】
一定のコインで何回でも使用可能なキーシステムについては、特開２０００−２００３８２号に開示されている。
【０００３】
該公知技術は利用者が使用終了時にリセットボタンを押すことによりコインを支持するストップ板を作動させてコインを釈放すると同時に一定量を利用者に返却させるようにし、施錠時には作動しないように拘束されている該ストップ板に対するリセットボタンの動作を該ストップ板に対する作動伝達部材としての弾力のある伝達棒のしなり動きで吸収するようにして、第三者のいたずらボタン操作に対してコインの保持を継続するようにしている。
【０００４】
しかし、かかる弾力のある伝達棒による動作の吸収は、使用を重ねるにつれて負荷により伝達棒が変形し、解錠時におけるコイン釈放操作が確実に為し得られなくなるおそれがある。
【０００５】
【発明が解決しようとする課題】
本発明は上記した点に着目してなされたものであり、コイン釈放操作部材の動作を駆動コイルばねを介してコイン保持部材の動作に伝達すると共にコイン釈放操作部材の動作を無理なく吸収し得るようにし、もって装置の耐久性と動作の安定性を維持するようにしたものである。
【０００６】
【課題を解決するための手段】
上記の課題を達成するため、本発明は、コイン通路に所定のコインが保持された状態でキーにより施錠用シリンダ錠を操作して施錠杆を施錠位置へ移動させることを可能とする錠装置において、
機枠のコイン投入口に連続して回収コイン通路とコイン返却口に連通する返却コイン通路を並設し、前記各通路の一側における内枠板にコイン保持プレートを軸支して前記内枠板に接離するように回動可能に設け、前記コイン保持プレートに前記回収コイン通路と前記返却コイン通路に進入してコインを支持する２個のコインストッパーを設け、前記コイン保持プレートと前記内枠板との間に、前記コイン保持プレートを前記内枠板方向に付勢する付勢コイルばねを設け、前記機枠の前面に設けたコイン釈放操作ボタンに連続するコイン釈放操作軸を前記コイン保持プレートの被駆動板に形成した孔を貫通して設け、前記コイン釈放操作軸と前記被駆動板との間に、前記コイン釈放操作ボタンを前記機枠の前面から突出させるように前記コイン釈放操作軸を付勢するとともに、該付勢に抗して前記コイン釈放操作ボタンが押されて後退する前記コイン釈放操作軸の動作を前記コイン保持プレートに伝達する駆動コイルばねを設け、施錠状態においては施錠杆駆動レバーに設けた移動拘束部材が前記コイン保持プレートの動作を拘束することにより前記コイン釈放操作軸の動作を前記駆動コイルばねが吸収し、解錠状態においては前記コイン釈放操作軸の動作を前記駆動コイルばねを介して前記コイン保持プレートに伝達し、前記コイン保持プレートを前記内枠板から離間する方向に前記付勢コイルばねによる付勢に抗して回動することにより前記２個のコインストッパーが保持するコインを釈放することを特徴とする。
【０００７】
また、コイン保持プレートにコインストッパーを選択的に設ける複数の取付螺孔が上下方向に形成されているものである（請求項２）。
【０００８】
【発明の実施の形態】
以下本発明の一実施例を添付した図面に従って説明する。
【０００９】
図１乃至図３に示すように機枠１の前方には前壁１′が付設され、前壁１′から機枠１にかけて施錠用シリンダ錠Ｒ1 と錠装置着脱用錠Ｒ2 が設けられ、コイン投入口Ｓ1 とコイン返却口Ｓ2 が形成され、更に、コイン釈放操作ボタンＢが設けられている。
【００１０】
コイン投入口Ｓ1 の上部には、規定径より大きいコインがコイン投入口Ｓ1 に投入されるのを阻止するための邪魔板２が設けられる。機枠１の前面板１ａに連設された側面板１ｂの内側にはコイン通路Ｐを形成する間隙を存して内枠板３が平行配置される。
【００１１】
内枠板３には鋲４により長孔５ａを介して昇降レバー５が上下動自在に設けられると共に内枠板３との間に設けたコイルばね６により常時下方に引き下げられ、昇降レバー５にはコイン投入口Ｓ1 の内方においてコイン通路に突出するコイン検知ピン７が設けられる。昇降レバー５の下部には鋲８により駆動レバー９が枢着され、駆動レバー９の前端に被駆動ピン１０が設けられる。
【００１２】
この被駆動ピン１０は、コイン投入口Ｓ1 内に投入された正規のコインがコイン検知ピン７を介して昇降レバー５を上昇させた際にコイン投入口Ｓ1 の下部辺におけるコイン投入軌跡に進出して該コインにより駆動され、従って駆動レバー９が反時計方向に回動する。
【００１３】
内枠板３にはピン１１によりコイン選択レバー１２が枢着されると共に、ピン１１に捲回された巻ばね１３によってその中間部下方に設けた受動ピン１４が駆動レバー９の後端上面に設けた駆動切欠９ａに近接するように付勢され、コイン選択レバー１２の前端に設けたコイン阻止ピン１５がコイン通路Ｐにおいてコイン投入口Ｓ1 に対向する。
【００１４】
従って、上記した如くに正規のコインにより駆動レバー９が反時計方向に駆動されると、駆動切欠９ａが受動ピン１４を介してコイン選択レバー１２を時計方向へ回動させるのでコイン阻止ピン１５がコイン投入口Ｓ1 に対向する位置から上方へ逃げて該正規のコインの投入を許容する。他方、正規径より小さいコインが投入されると該コインは昇降レバー５を十分に上昇させないので駆動レバー９ないしコイン選択レバー１２が不作動となり、移動しないコイン阻止ピン１５が小さいコインの投入を阻止する。
【００１５】
１６は移動阻止レバーであり、中間部をピン１７で内枠板３に枢着され、中間下方に設けたコイン感知ピン１８が回収コイン通路Ｐ2 におけるコイン移動軌跡に進出すると共に内枠板３の切起片３ａに当接した第１位置（実線位置）で安定静止している。移動阻止レバー１６の上端にはコイン選択レバー１２に対する移動阻止片１６ａが折曲して設けられ、下端には後記する施錠杆駆動レバー２０に対する移動阻止片１６ｂが折曲して設けられる。
【００１６】
施錠用シリンダ錠Ｒ1 のロータ１９には施錠杆駆動レバー２０が嵌着して取り付けられ、上端の縦溝２０ａには施錠杆２１に対する動力伝達軸２２の一端が係合し、下端に折曲して設けた回動規制片２０ｂが前面板１ａに形成した規制孔に係合している。動力伝達軸２２は、前面板１ａに設けたピン２３に基端を枢着した受動レバー２４の自由端を貫通して施錠杆２１の孔（図示せず）に達しており、動力伝達軸２２にはピン２５との間にトーションばね２６が架設されており、キー２７により施錠用シリンダ錠Ｒ1 のロータ１９を介して施錠杆駆動レバー２０を、図２の実線位置から仮想線位置へ回動すると同時に受動レバー２４が回動し、この際にトーションバネ２６が撓んで弾撥力を蓄えた後に死点限界を越えると受動レバー２４と施錠杆駆動レバー２０が急速に反転し、これに伴って前面板１ａの背後において切起し枠１ｃにより左右方向に摺動自在に支持されている施錠杆２１が施錠位置へ突出する。
【００１７】
側面板１ｂと内枠板３間において、コイン通路Ｐの下方には前方の返却コイン通路Ｐ1 と後方の回収コイン通路Ｐ2 が壁Ｗをもって区画して形成され（図４参照）、返却コイン通路Ｐ1 の下方には返却口Ｓ2 にコインを案内するコインガイド２８が設けられ、回収コイン通路Ｐ2 は下方に向けて開放されている。
【００１８】
２９はコイン保持プレートであり、内枠板３に形成した左右方向の一対の切り起し支持片３ｂ，３ｂとコイン保持プレート２９に形成した同じく左右方向の一対の起立片２９ａ，２９ａ間に軸３０を貫通して結合することによりコイン保持プレート２９は軸３０を支点として回動して内枠板３に接離し、軸３０に捲装されていて一端３１ａが内枠板３に係合すると共に他端３１ｂがコイン保持プレート２９に係合する付勢コイルばねとしてのコイルコイルばね３１により常時内枠板３に接近する状態に付勢される。
【００１９】
コイン保持プレート２９上には十字ナベネジＸにより補強板２９′が結合され、補強板２９′には上下方向に延長する被駆動板部２９ｂが起立されている。機枠１の孔１ｄと側面板１ｂの後端に設けた支持部３２間においてコイン釈放操作軸Ｂ1 が前後方向に移動可能に設けられ、被駆動板部２９ｂに形成された前後方向の長孔２９ｃを貫通している。コイン釈放操作軸Ｂ1 にはＥリング３３，３３′が設けられ、Ｅリング３３と被駆動板部２９ｂ間に駆動コイルばね３４が捲装され、コイン釈放操作ボタンＢを押した際に駆動コイルばね３４を介して被駆動板部２９ｂが押されるので、コイルばね３１の弾力に抗してコイン保持プレート２９が内枠板３から離れる方向に回動する。Ｅリング３３と前面板１ａの間にはコイン釈放操作軸Ｂ1 に遊嵌するスペーサ３６が配置され、Ｅリング３３との当接によりコイン釈放操作軸Ｂ1 の抜き方向の動きが規制される。
【００２０】
コイン保持プレート２９の下方には十字ナベネジＸにより追加コイン保持プレート２９″が結合され、側面板１ｂと内枠板３の下方には追加ケースプレート１ｂ′と追加ケースカバープレート３′が付設されて回収コイン通路Ｐ2 が下方へ延長されている。追加コイン保持プレート２９″には前記十字ナベネジＸの取付螺孔の延長線上に２個の取付螺孔Ｘ′が形成され、下方の取付螺孔Ｘ′にコインストッパーピンＹ2 が螺着されている。コイン保持プレート２９ないし追加コイン保持プレート２９″には等間隔を存して合計５個の取付螺孔Ｘ′が形成されており、いずれかの十字ナベネジＸに代えて回収コイン通路Ｐ2 に進出するコインストッパーＹ2 を選択的に螺着することにより回収コイン通路Ｐ2 において保持するコインの枚数を変化させることができる。更に、コイン保持プレート２９には返却コイン通路Ｐ1 に対応して上下に２個の取付螺孔Ｘ′が形成され、下方の取付螺孔Ｘ′に返却コイン通路Ｐ1 に進出するコインストッパーＹ1 が螺着されている。
【００２１】
上記構成において、移動阻止レバー１６の第１位置（図３の実線位置）においては移動阻止片１６ｂが施錠杆駆動レバー２０の移動軌跡に位置しているので、キー２７によりロータ１９を回動しようとしても施錠杆駆動レバー２０ないし施錠杆２１を施錠位置へ移動させることができない。
【００２２】
コイン投入口Ｓ1 から正規のコインを投入すると、図４に示すように検銭機構を通過した最初の２枚のコインＣ1 が返却コイン通路Ｐ1 に移動し、コインストッパーＹ1 により保持される。次いで、投入されるコインＣ2 は返却コイン通路Ｐ1 に保持されるコインＣ1 の上を摺動して回収コイン通路Ｐ2 に案内され、コインストッパーＹ2 により順次５個のコインＣ2 が保持され、最上段のコインＣ2 ′がコイン感知ピン１８に接触してコイン感知ピン１８を側方へ移動させるので、移動阻止レバー１６は第２位置（図３の仮想線位置、図４の位置）へ回動、変位する。第２位置においては、移動阻止レバー１６の移動阻止片１６ａがコイン選択レバー１２の係合端１２ａに接近してコイン選択レバー１２を不作動とするので、過剰コインの投入が阻止されると共に移動阻止片１６ｂが施錠杆駆動レバー２０の移動軌跡から離れるので、キー２７による施錠操作が可能となる。
【００２３】
回収コイン通路Ｐ2 に保持されるコインＣ2 （及び返却コイン通路Ｐ1 に保持されるコインＣ1 ）は、施錠、解錠動作に影響を受けることなくそのまま保持されるので、コインロッカーの利用者は所定時間内において何回でも扉を開閉して内容物の出し入れができる。
【００２４】
図５乃至図７はコイン釈放操作軸Ｂ1 とコイン保持プレートの関係を示すもので施錠状態においては、図６に示すように施錠杆駆動レバー２０に設けた移動拘束部材３５がコイン保持プレート２９に近接し、コイン保持プレート２９の回動を阻止する。従って、施錠状態で第三者がコイン釈放操作ボタンＢを押すと、駆動コイルばね３４が縮小しながらコイン釈放操作軸Ｂ1 の移動量を吸収し（図６）、返却コイン通路Ｐ1 と回収コイン通路Ｐ2 に位置するコインストッパーＹ1 ，Ｙ2 がそのままコインＣ1 ，Ｃ2 の保持状態を維持する。
【００２５】
解錠状態においては、図７に示すように移動拘束部材３５がコイン保持プレート２９から離れているので、最終的に使用が終わった利用者がコイン釈放操作ボタンＢを押すことにより、駆動コイルばね３４が被駆動板２９ｂを押してコイン保持プレート２９を内枠板３から離れる方向に回動・変位させ、これに伴ってコインストッパーＹ1 ，Ｙ2 が返却コイン通路Ｐ1 と回収コイン通路Ｐ2 から離脱するので、回収コインＣ2 は下方の料金箱内に落下し、返却コインＣ1 はコイン返却口Ｓ2 から利用者に戻される。
【００２６】
【発明の効果】
本発明は上記したように、コイン通路に所定のコインが保持された状態でキーにより施錠用シリンダ錠を操作して施錠杆を施錠位置へ移動させることを可能とする錠装置において、
機枠のコイン投入口に連続して回収コイン通路とコイン返却口に連通する返却コイン通路を並設し、前記各通路の一側における内枠板にコイン保持プレートを軸支して前記内枠板に接離するように回動可能に設け、前記コイン保持プレートに前記回収コイン通路と前記返却コイン通路に進入してコインを支持する２個のコインストッパーを設け、前記コイン保持プレートと前記内枠板との間に、前記コイン保持プレートを前記内枠板方向に付勢する付勢コイルばねを設け、前記機枠の前面に設けたコイン釈放操作ボタンに連続するコイン釈放操作軸を前記コイン保持プレートの被駆動板に形成した孔を貫通して設け、前記コイン釈放操作軸と前記被駆動板との間に、前記コイン釈放操作ボタンを前記機枠の前面から突出させるように前記コイン釈放操作軸を付勢するとともに、該付勢に抗して前記コイン釈放操作ボタンが押されて後退する前記コイン釈放操作軸の動作を前記コイン保持プレートに伝達する駆動コイルばねを設け、施錠状態においては施錠杆駆動レバーに設けた移動拘束部材が前記コイン保持プレートの動作を拘束することにより前記コイン釈放操作軸の動作を前記駆動コイルばねが吸収し、解錠状態においては前記コイン釈放操作軸の動作を前記駆動コイルばねを介して前記コイン保持プレートに伝達し、前記コイン保持プレートを前記内枠板から離間する方向に前記付勢コイルばねによる付勢に抗して回動することにより前記２個のコインストッパーが保持するコインを釈放するものであるから、コイン釈放操作ボタンを機枠の前面から突出させるようにコイン釈放操作軸と被駆動板との間に設けた駆動コイルばねによって、コイン釈放操作軸の動作がコイン保持プレートに十分に伝達されコイン保持プレートによるコインの保持を確実にするための付勢コイルばねの付勢に抗してコイン保持プレートが回動されると共に、コイン保持プレートが不作動状態にあるときは該コイン釈放操作軸の動作が無理なく吸収され得るものであって装置の耐久性と動作の安定性を維持することができる。
【００２７】
また、回収コイン及び返却コインの枚数を変更することができる。
【図面の簡単な説明】
【図１】  本発明に係る錠装置の正面図である。
【図２】  同上の背面図である。
【図３】  一部を破断して示す側面図である。
【図４】  図３において、各コインを保持した状態図である。
【図５】  コイン釈放操作軸とコイン保持プレートの関係を示す要部の底面図である。
【図６】  同上の施錠時における動作状態図である。
【図７】  同上の解錠時における動作状態図である。
【符号の説明】
１          機枠
Ｒ1         施錠用シリンダ錠
Ｓ1         コイン投入口
Ｓ2         コイン返却口
Ｂ          コイン釈放操作ボタン
Ｂ1         コイン釈放操作軸
３          内枠板
２０        施錠杆駆動レバー
２１        施錠杆
２９        コイン保持プレート
２９ｂ      被駆動板
２９ｃ      孔
３１        コイルばね（付勢コイルばね）
３４        駆動コイルばね
Ｙ1 ，Ｙ2   コインストッパー
Ｃ1 ，Ｃ2   コイン
Ｐ1         返却コイン通路
Ｐ2         回収コイン通路
【図１】
0004034942.tif 000002
【図２】
0004034942.tif 000003
【図３】
0004034942.tif 000004
【図４】
0004034942.tif 000005
【図５】
0004034942.tif 000006
【図６】
0004034942.tif 000007
【図７】
0004034942.tif 000008